(57)【要約】【課題】簡便な操作で、様々な処理対象および処理内容を指定すること【解決手段】画像表示面に画像を表示するとともに、該画像表示面に外部から入射する光を検出してスキャン画像データを生成し、さらに画像表示面で外部から指示された位置を検出するディスプレイスキャナタッチパネルと、ディスプレイスキャナタッチパネルが生成したスキャン画像データのうち、検出した位置の近傍のスキャン画像データと検出した位置とに基づき、実行する処理と該処理の処理対象データとを決定し、この決定した処理にこの決定した処理対象データの処理を指示する処理決定部とを具備することを特徴とするユーザインターフェース装置。【選択図】図２
2009054118.tif 000002
【特許請求の範囲】
【請求項１】
画像表示面に画像を表示するとともに、該画像表示面に外部から入射する光を検出してスキャン画像データを生成し、さらに前記画像表示面で外部から指示された位置を検出するディスプレイスキャナタッチパネルと、
前記ディスプレイスキャナタッチパネルが生成したスキャン画像データのうち、前記検出した位置の近傍のスキャン画像データと前記検出した位置とに基づき、実行する処理と該処理の処理対象データとを決定し、この決定した処理にこの決定した処理対象データの処理を指示する処理決定部と
を具備することを特徴とするユーザインターフェース装置。
【請求項２】
前記処理決定部は、前記検出した位置の近傍のスキャン画像データに基づき、実行する処理を決定し、前記検出した位置に基づき、該実行する処理の処理対象データを決定することを特徴とする請求項１に記載のユーザインターフェース装置。
【請求項３】
処理対象データを識別するデータ識別情報もしくは処理対象データと、前記画像表示面上の領域を表す情報とを対応付けて記憶する座標記憶部と、
スキャン画像データを識別するパターン識別情報と、処理を識別する処理識別情報とを対応付けて記憶するパターン記憶部と、
前記処理対象データを表す画像を前記ディスプレイスキャナタッチパネルの画像表示面に表示するとともに、該画像を表示した領域を表す情報と該画像が表す処理対象データもしくは該処理対象データを識別するデータ識別情報とを対応付けて前記座標記憶部に記憶させる画像生成部と
を具備し、
前記処理決定部は、前記検出した位置の近傍のスキャン画像データを識別するパターン識別情報と対応付けて前記パターン記憶部に記憶している処理識別情報が表す処理を実行する処理とし、前記検出した位置を含む領域を表す情報と対応付けて前記座標記憶部に記憶している処理対象データもしくはデータ識別情報が表す処理対象データを、前記実行する処理の処理対象データとすること
を特徴とする請求項２に記載のユーザインターフェース装置。
【請求項４】
前記処理決定部は、前記検出した位置の近傍のスキャン画像データと前記検出した位置とに基づき、実行する処理と該処理の処理対象データとを検出するとともに、前記検出した位置の近傍のスキャン画像データに基づき個人認証処理を行うことを特徴とする請求項１に記載のユーザインターフェース装置。
【請求項５】
処理対象データを識別するデータ識別情報もしくは処理対象データと、前記画像表示面上の領域を表す情報とを対応付けて記憶する座標記憶部と、
スキャン画像データを識別するパターン識別情報と、個人を識別する個人識別情報とを対応付けて記憶するパターン記憶部と、
前記処理対象データを表す画像を前記ディスプレイスキャナタッチパネルの画像表示面に表示するとともに、該画像を表示した領域を表す情報と該画像が表す処理対象データもしくは該処理対象データを識別するデータ識別情報とを対応付けて前記座標記憶部に記憶させる画像生成部と
を具備し、
前記処理決定部は、前記検出した位置の近傍のスキャン画像データを識別するパターン識別情報と対応付けて前記パターン記憶部に記憶している個人識別情報を読み出して個人認証を行なうとともに、この個人認証の結果に基づき実行する処理を決定し、前記検出した位置を含む領域を表す情報と対応付けて前記座標記憶部に記憶している処理対象データもしくはデータ識別情報が表す処理対象データを前記実行する処理の処理対象データとすること
を特徴とする請求項４に記載のユーザインターフェース装置。
【請求項６】
処理対象データを識別するデータ識別情報もしくは処理対象データと、前記画像表示面上の領域を表す情報とを対応付けて記憶する座標記憶部と、
スキャン画像データを識別するパターン識別情報と、個人を識別する個人識別情報と、処理を識別する処理識別情報とを対応付けて記憶するパターン記憶部と、
前記処理対象データを表す画像を前記ディスプレイスキャナタッチパネルの画像表示面に表示するとともに、該画像を表示した領域を表す情報と該画像が表す処理対象データもしくは該処理対象データを識別するデータ識別情報とを対応付けて前記座標記憶部に記憶させる画像生成部と
を具備し、
前記処理決定部は、前記検出した位置の近傍のスキャン画像データを識別するパターン識別情報と対応付けて前記パターン記憶部に記憶している個人識別情報を読み出して個人認証を行なうとともに、前記パターン識別情報と前記個人識別情報とに対応付けて前記パターン記憶部に記憶している処理識別情報を読み出し、この読み出した処理識別情報が識別する処理を実行する処理とし、前記検出した位置を含む領域を表す情報と対応付けて前記座標記憶部に記憶している処理対象データもしくはデータ識別情報が表す処理対象データを前記実行する処理の処理対象データとすること
を特徴とする請求項１または請求項４に記載のユーザインターフェース装置。
【請求項７】
前記スキャン画像データから、指紋の特徴情報を抽出する指紋特徴情報抽出部を具備し、
前記処理決定部は、前記スキャン画像データから前記指紋特徴情報抽出部が抽出した特徴情報に基づき決定することを特徴とする請求項１から請求項５に記載のいずれかの項に記載のユーザインターフェース装置。
【請求項８】
画像表示面に画像を表示するとともに、該画像表示面に外部から入射する光を検出してスキャン画像データを生成し、さらに前記画像表示面で外部から指示された位置を検出するディスプレイスキャナタッチパネルが生成した前記スキャン画像データのうち、前記検出した位置の近傍のスキャン画像データと前記検出した位置とに基づき、実行する処理と該処理の処理対象データとを決定し、この決定した処理にこの決定した処理対象データの処理を指示する処理決定部
を具備することを特徴とするユーザインターフェース装置。
【請求項９】
画像表示面に画像を表示するとともに、該画像表示面に外部から入射する光を検出してスキャン画像データを生成し、さらに前記画像表示面で外部から指示された位置を検出するディスプレイスキャナタッチパネルを具備するユーザインターフェース装置におけるユーザインターフェース方法にであって、
前記ディスプレイスキャナタッチパネルが、画像表示面に外部から入射する光を検出してスキャン画像データを生成するとともに、前記画像表示面で外部から指示された位置を検出する第１の過程と、
前記ユーザインターフェース装置が、前記第１の過程にて生成したスキャン画像データのうち、前記第１の過程にて検出した位置の近傍のスキャン画像データと前記検出した位置とに基づき、実行する処理と該処理の処理対象データとを決定する第２の過程と、
前記ユーザインターフェース装置が、前記第２の過程にて決定した処理に、前記第２の過程にて決定した処理対象データの処理を指示する第３の過程と
を備えることを特徴とするユーザインターフェース方法。
【請求項１０】
画像表示面に画像を表示するとともに、該画像表示面に外部から入射する光を検出してスキャン画像データを生成し、さらに前記画像表示面で外部から指示された位置を検出するディスプレイスキャナタッチパネルを具備するユーザインターフェース装置のコンピュータを、
前記ディスプレイスキャナタッチパネルが生成したスキャン画像データのうち、前記検出した位置の近傍のスキャン画像データと前記検出した位置とに基づき、実行する処理と該処理の処理対象データとを決定し、この決定した処理にこの決定した処理対象データの処理を指示する処理決定部
として機能させるプログラム。
【発明の詳細な説明】
【技術分野】
【０００１】
本発明は、ユーザインターフェース装置、ユーザインターフェース方法およびプログラム、特に画像表示面に画像を表示するとともに、該画像表示面に外部から入射する光を検出してスキャン画像データを生成し、さらに前記画像表示面で外部から指示された位置を検出する液晶スキャナタッチパネルを利用したユーザインターフェース装置、ユーザインターフェース方法およびプログラムに関する。
【背景技術】
【０００２】
従来、タッチパネルを用いた入力方法では、タッチ位置や、ダブルタッチやスライドなどのタッチアクションを検出し、これらに応じて、あるいはこれらの組み合わせに応じて、処理対象や処理内容を指定している。
例えば、特許文献１は、スライド操作の方向と速さ、あるいは長さを検出したり、円を描くように回転させるスライド操作を検出したりする入力装置が記載されている。また、特許文献２は、タッチパネル上を押下したままで所定長移動させてタッチアクションにて入力する入力装置が記載されている。また、特許文献３は、１点指示か２点指示かを判断するようにした図形処理装置が記載されている。また、特許文献４、文字入力により筆跡判定し、セキュリティ性を高めた自動取引装置が記載されている。また、特許文献５は、タッチパネル上をなぞる動作の速さや方向を変えて、操作指示を与える入力装置が記載されている。また、特許文献６は、タッチスクリーンにより位置指示用の入力を行う場合の入力方式が記載されている。
【特許文献１】特開２００５−０８２０８６号公報
【特許文献２】特開平１１−１２６１３２号公報
【特許文献３】特開２００１−１３４３８２号公報
【特許文献４】特開平９−２５９３３１号公報
【特許文献５】特開平９−５０２３５号公報
【特許文献６】特開平５−１４３２３５号公報
【発明の開示】
【発明が解決しようとする課題】
【０００３】
しかしながら、従来の装置にあっては、指示できる処理対象もしくは処理内容の数がタッチアクションのパターン数に制限されてしまう、あるいは、様々な処理対象と処理内容とに対応するには、タッチアクションが複雑になったり、複数のタッチアクションを組み合わせたりするというように、操作が煩雑になってしまうという問題がある。
【０００４】
本発明は、このような事情に鑑みてなされたもので、その目的は、簡便な操作で、様々な処理対象および処理内容を指定することができるユーザインターフェース装置、ユーザインターフェース方法およびプログラムを提供することにある。
【課題を解決するための手段】
【０００５】
この発明は上述した課題を解決するためになされたもので、本発明のユーザインターフェース装置は、画像表示面に画像を表示するとともに、該画像表示面に外部から入射する光を検出してスキャン画像データを生成し、さらに前記画像表示面で外部から指示された位置を検出するディスプレイスキャナタッチパネルと、前記ディスプレイスキャナタッチパネルが生成したスキャン画像データのうち、前記検出した位置の近傍のスキャン画像データと前記検出した位置とに基づき、実行する処理と該処理の処理対象データとを決定し、この決定した処理にこの決定した処理対象データの処理を指示する処理決定部とを具備することを特徴とする。
【０００６】
これにより、ユーザインターフェース装置は、ディスプレイスキャナタッチパネルが検出した指示された位置とその近傍のスキャン画像データとを組み合わせに応じて、実行する処理とその処理対象データとを決定するので、ディスプレイスキャナタッチパネルに１回タッチするという簡便な操作で、様々な処理対象および処理内容を指定することができる。
【０００７】
また、本発明のユーザインターフェース装置は、上述のユーザインターフェース装置であって、前記処理決定部は、前記検出した位置の近傍のスキャン画像データに基づき、実行する処理を決定し、前記検出した位置に基づき、該実行する処理の処理対象データを決定することを特徴とする。
【０００８】
また、本発明のユーザインターフェース装置は、上述のユーザインターフェース装置であって、処理対象データを識別するデータ識別情報もしくは処理対象データと、前記画像表示面上の領域を表す情報とを対応付けて記憶する座標記憶部と、スキャン画像データを識別するパターン識別情報と、処理を識別する処理識別情報とを対応付けて記憶するパターン記憶部と、前記処理対象データを表す画像を前記ディスプレイスキャナタッチパネルの画像表示面に表示するとともに、該画像を表示した領域を表す情報と該画像が表す処理対象データもしくは該処理対象データを識別するデータ識別情報とを対応付けて前記座標記憶部に記憶させる画像生成部とを具備し、前記処理決定部は、前記検出した位置の近傍のスキャン画像データを識別するパターン識別情報と対応付けて前記パターン記憶部に記憶している処理識別情報が表す処理を実行する処理とし、前記検出した位置を含む領域を表す情報と対応付けて前記座標記憶部に記憶している処理対象データもしくはデータ識別情報が表す処理対象データを、前記実行する処理の処理対象データとすることを特徴とする。
【０００９】
また、本発明のユーザインターフェース装置は、上述のユーザインターフェース装置であって、前記処理決定部は、前記検出した位置の近傍のスキャン画像データと前記検出した位置とに基づき、実行する処理と該処理の処理対象データとを検出するとともに、前記検出した位置の近傍のスキャン画像データに基づき個人認証処理を行うことを特徴とする。
【００１０】
これにより、ユーザインターフェース装置は、ディスプレイスキャナタッチパネルが検出した指示された位置とその近傍のスキャン画像データとを組み合わせに応じて、実行する処理とその処理対象データとを決定するとともに、該スキャン画像データに基づき個人認証処理を行うので、指紋などの個人を識別可能な模様／形状を備えたもので、ディスプレイスキャナタッチパネルに１回タッチするという簡便な操作で、様々な処理対象および処理内容の指定と個人認証処理を同時にすることができる。
【００１１】
また、本発明のユーザインターフェース装置は、上述のユーザインターフェース装置であって、処理対象データを識別するデータ識別情報もしくは処理対象データと、前記画像表示面上の領域を表す情報とを対応付けて記憶する座標記憶部と、スキャン画像データを識別するパターン識別情報と、個人を識別する個人識別情報とを対応付けて記憶するパターン記憶部と、前記処理対象データを表す画像を前記ディスプレイスキャナタッチパネルの画像表示面に表示するとともに、該画像を表示した領域を表す情報と該画像が表す処理対象データもしくは該処理対象データを識別するデータ識別情報とを対応付けて前記座標記憶部に記憶させる画像生成部とを具備し、前記処理決定部は、前記検出した位置の近傍のスキャン画像データを識別するパターン識別情報と対応付けて前記パターン記憶部に記憶している個人識別情報を読み出して個人認証を行なうとともに、この個人認証の結果に基づき実行する処理を決定し、前記検出した位置を含む領域を表す情報と対応付けて前記座標記憶部に記憶している処理対象データもしくはデータ識別情報が表す処理対象データを前記実行する処理の処理対象データとすることを特徴とする。
【００１２】
また、本発明のユーザインターフェース装置は、上述のいずれかのユーザインターフェース装置であって、処理対象データを識別するデータ識別情報もしくは処理対象データと、前記画像表示面上の領域を表す情報とを対応付けて記憶する座標記憶部と、スキャン画像データを識別するパターン識別情報と、個人を識別する個人識別情報と、処理を識別する処理識別情報とを対応付けて記憶するパターン記憶部と、前記処理対象データを表す画像を前記ディスプレイスキャナタッチパネルの画像表示面に表示するとともに、該画像を表示した領域を表す情報と該画像が表す処理対象データもしくは該処理対象データを識別するデータ識別情報とを対応付けて前記座標記憶部に記憶させる画像生成部とを具備し、前記処理決定部は、前記検出した位置の近傍のスキャン画像データを識別するパターン識別情報と対応付けて前記パターン記憶部に記憶している個人識別情報を読み出して個人認証を行なうとともに、前記パターン識別情報と前記個人識別情報とに対応付けて前記パターン記憶部に記憶している処理識別情報を読み出し、この読み出した処理識別情報が識別する処理を実行する処理とし、前記検出した位置を含む領域を表す情報と対応付けて前記座標記憶部に記憶している処理対象データもしくはデータ識別情報が表す処理対象データを前記実行する処理の処理対象データとすることを特徴とする。
【００１３】
また、本発明のユーザインターフェース装置は、上述のいずれかのユーザインターフェース装置であって、前記スキャン画像データから、指紋の特徴情報を抽出する指紋特徴情報抽出部を具備し、前記処理決定部は、前記スキャン画像データから前記指紋特徴情報抽出部が抽出した特徴情報に基づき決定することを特徴とする。
【００１４】
また、本発明のユーザインターフェース装置は、画像表示面に画像を表示するとともに、該画像表示面に外部から入射する光を検出してスキャン画像データを生成し、さらに前記画像表示面で外部から指示された位置を検出するディスプレイスキャナタッチパネルが生成したスキャン画像データのうち、前記検出した位置の近傍のスキャン画像データと前記検出した位置とに基づき、実行する処理と該処理の処理対象データとを決定し、この決定した処理にこの決定した処理対象データの処理を指示する処理決定部
を具備することを特徴とする
【００１５】
また、本発明のユーザインターフェース方法は、画像表示面に画像を表示するとともに、該画像表示面に外部から入射する光を検出してスキャン画像データを生成し、さらに前記画像表示面で外部から指示された位置を検出するディスプレイスキャナタッチパネルを具備するユーザインターフェース装置におけるユーザインターフェース方法にであって、前記ディスプレイスキャナタッチパネルが、画像表示面に外部から入射する光を検出してスキャン画像データを生成するとともに、前記画像表示面で外部から指示された位置を検出する第１の過程と、前記ユーザインターフェース装置が、前記第１の過程にて生成したスキャン画像データのうち、前記第１の過程にて検出した位置の近傍のスキャン画像データと前記検出した位置とに基づき、実行する処理と該処理の処理対象データとを決定する第２の過程と、前記ユーザインターフェース装置が、前記第２の過程にて決定した処理に、前記第２の過程にて決定した処理対象データの処理を指示する第３の過程とを備えることを特徴とする。
【００１６】
また、本発明のプログラムは、画像表示面に画像を表示するとともに、該画像表示面に外部から入射する光を検出してスキャン画像データを生成し、さらに前記画像表示面で外部から指示された位置を検出するディスプレイスキャナタッチパネルを具備するユーザインターフェース装置のコンピュータを、前記ディスプレイスキャナタッチパネルが生成したスキャン画像データのうち、前記検出した位置の近傍のスキャン画像データと前記検出した位置とに基づき、実行する処理と該処理の処理対象データとを決定し、この決定した処理にこの決定した処理対象データの処理を指示する処理決定部として機能させる。
【発明の効果】
【００１７】
この発明によれば、ディスプレイスキャナタッチパネルが生成したスキャン画像データおよび検出した指示された位置に基づき、実行する処理と該処理の処理対象を決定するので、簡便な操作で、様々な処理対象および処理内容を指定することができる。
【発明を実施するための最良の形態】
【００１８】
［第１の実施形態］
以下、図面を参照して、本発明の実施の形態について説明する。図１は、この発明の第１の実施形態による文書管理装置１００のハード構成を示す概略ブロック図である。本実施形態における文書管理装置１００は、記憶している文書のリストを表示し、リスト中の文書に対して、利用者が承認、否決、削除のいずれかを指定するスタンプを押すことで、スタンプを押された文書に、承認を登録、否決を登録、あるいは該文書を削除のいずれかの処理を行う装置であり、制御部１０１と、メモリ１０２と、入出力部１０３と、液晶スキャナタッチパネル部１１０と、これらの各部を接続するバス１０４とを具備する。制御部１０１は、文書管理装置１００全体を制御する。メモリ１０２は、読み書き可能なメモリであるＲＡＭ（Random Access Memory）と、読み出しのみ可能なメモリであるＲＯＭ（Read Only Memory）と、ハードディスクなどの読み書き可能で不揮発性なメモリとを具備する。また、このＲＯＭは、制御部１０１を動作させるためのプログラムを格納する。入出力部１０３は、文書管理装置１００にて管理する文書データを入出力する。
【００１９】
図２は、本実施形態による文書管理装置１００の機能構成を示す概略ブロック図である。文書管理装置１００は、ユーザインターフェース部１１０、文書表示処理部１２０、承認処理部１３０、否決処理部１４０、削除処理部１５０、文書記憶部１６０を具備する。また、ユーザインターフェース部１１０は、後述するように、液晶スキャナタッチパネル部１１１と２次元バーコード復号部１１２と画像生成部１１４と処理決定部１１３と座標記憶部１１５とパターン記憶部１１６とを具備する。
【００２０】
ユーザインターフェース部（ユーザインターフェース装置）１１０は、液晶スキャナタッチパネル部１１１の液晶ディスプレイに文書リスト画面および文書画面を表示し、この文書リスト画面を後述するスタンプで押されたときに、押された位置と押されたスタンプの印面を読み取ったスキャン画像データとに基づき、文書表示処理部１２０、承認処理部１３０、否決処理部１４０、削除処理部１５０の何れの処理部で、どの文書を処理するかを決定する。文書表示処理部１２０は、指定された文書データを文書画面に表示する。承認処理部１３０は、指定された文書データに対応付けて、文書記憶部１６０に「承認」を登録する。否決処理部１４０は、指定された文書データに対応付けて、文書記憶部１６０に「否決」を登録する。削除処理部１５０は、指定された文書データを文書記憶部１６０から削除する。文書記憶部１６０は、文書データを識別する文書識別情報と文書データの承認状態と文書データとを対応付けて記憶する。
【００２１】
ユーザインターフェース部１１０は、前述のように、液晶スキャナタッチパネル部１１１と画像生成部１１４と処理決定部１１３と座標記憶部１１５とパターン記憶部１１６とを具備する。液晶スキャナタッチパネル部（ディスプレイスキャナタッチパネル）１１１は、図３にその構造例を模式的に示すような、低温CGシリコン結晶などによる光センサ素子ＬＳ１をその表面に格子状に備えたガラス板Ｐ１と、ガラス板Ｐ２と、これらガラス板Ｐ１とガラス板Ｐ２とで挟まれた液晶Ｌ１とからなる液晶ディスプレイを有している。この液晶スキャナタッチパネル部１１１の液晶ディスプレイは、バックライトから照射された光の透過率を、液晶Ｌ１にて制御することで、画像生成部１１４が生成した画像を表示するとともに、その表示面近傍に置かれた物体あるいは表示面に接している物体（図３では指）が液晶ディスプレイのバックライトから照射された光を反射した光など、該液晶ディスプレイに外部から入射する光を光センサ素子ＬＳ１にて検出することで液晶ディスプレイの画像表示する領域をスキャンしてスキャン画像データを生成する。さらに液晶スキャナタッチパネル部１１１は、その液晶ディスプレイで外部から指示された位置を検出する。液晶スキャナタッチパネル部１１１は、図４のガラス板Ｐ１の表面にさらにタッチパッドを貼り、該タッチパッドで接触された位置を検出することで指示された位置の検出を行なっても良いし、スキャンしたスキャン画像データから細長い形状の移動を検出し、該形状の移動が一定時間停止したときの該形状の先端部の位置を指示された位置として検出するようにしてもよい。
【００２２】
２次元バーコード復号部は、２次元バーコードの画像を２次元バーコードの復号処理を行い、復号処理結果の文字列を生成する。画像生成部１１４は、文書記憶部１６０から未承認の文書データを選択し、選択した文書データ各々を表すアイコンを並べた文書リスト画面と、文書リスト画面にて選択された文書を表示する文書表示画面を生成して、液晶スキャナタッチパネル部１１１の液晶ディスプレイに表示する。このとき画像生成部１１４は、画面の左上端を原点としたときの各アイコンの左上および右下の座標と、該アイコンが表す文書データの文書識別情報とを対応付けて、座標記憶部１１５に記憶する。また、画像生成部１１４は、承認処理、否決処理、削除処理を行った後、その処理結果をユーザに通知する画面を生成して、液晶スキャナタッチパネル部１１１の液晶ディスプレイに表示する。
【００２３】
処理決定部１１３は、液晶スキャナタッチパネル部１１１が検出した位置の位置情報と、該位置の近傍のスキャン画像データ、例えば、該位置を中心とした縦横５０ピクセルの正方形の領域のスキャン画像データとを液晶スキャナタッチパネル部１１１から読み取り、この読み取ったスキャン画像データを２次元バーコード復号部１１２が復号した復号処理結果に基づき、パターン記憶部１１６を参照して承認処理、否決処理、削除処理および文書表示処理の中から実行する処理を決定し、液晶スキャナタッチパネル部１１１から読み取った位置情報に基づき、座標記憶部１１５を参照して決定した実行する処理の処理対象データとなる文書データを決定する。
座標記憶部１１５は、文書識別情報と、文書リスト画面にて該文書のアイコンが表示されている領域を表す座標情報とを対応付けて記憶する。
パターン記憶部１１６は、スキャン画像データを識別するパターン識別情報と、そのスキャン画像データに対応する処理の処理識別情報とを対応付けて記憶している。
【００２４】
本実施形態において、図２に示した２次元バーコード復号部１１２、処理決定部１１３、画像生成部１１４、文書表示処理部１２０、承認処理部１３０、否決処理部１４０、削除処理部１５０は、メモリ１０２に格納されているプログラムを、制御部１０１が読み取って実行することにより、各部の処理を行う。また、座標記憶部１１５、パターン記憶部１１６、文書記憶部１６０は、メモリ１０２が具備し、これら各部が記憶する情報は、メモリ１０２のＲＡＭまたは不揮発性なメモリに記憶される。
【００２５】
図４は、文書管理装置１００が液晶スキャナタッチパネル部１１１の液晶ディスプレイに表示する文書リスト画面Ｇ１および文書表示画面Ｄ１の例を示す図である。図４に示す文書リスト画面Ｇ１および文書表示画面Ｄ１のように、本実施形態における文書リスト画面には、各々が未承認の文書データを表すアイコンが、アイコンＩＣ１、ＩＣ２のように列挙されており、本実施形態における文書表示画面には、文書リスト画面にて選択されたアイコンに対応する文書の内容が表示されている。文書の承認権を持つユーザが、承認する文書データのアイコンには承認スタンプＳ１を押し、否決する文書データのアイコンには否決スタンプＳ２を押し、削除する文書データのアイコンには削除スタンプＳ３を押すと、文書管理装置１００は、スタンプを押された文書データに、押されたスタンプの印面に応じた処理を施す。その他のもの、例えば指などでアイコンを押すと、文書管理装置１００は、該アイコンに対応した文書の内容を文書画面に表示する。ここで、承認スタンプＳ１、否決スタンプＳ２、削除スタンプＳ３の印面には、それぞれ異なる文字列を符号化した２次元バーコードが描かれている。文書管理装置１００は、これらの２次元バーコードを読み取り、復号して文字列を得ることで、押されたスタンプがいずれのスタンプであるのかを判定することができる。
【００２６】
図５は、パターン記憶部１１６の記憶内容例を示す図である。パターン記憶部１１６には、図５に例示するようにパターン識別情報「承認スタンプＳ１の印面の復号情報」と処理識別情報「承認」、パターン識別情報「否決スタンプＳ２の印面の復号情報」と処理識別情報「否決」、パターン識別情報「削除スタンプＳ３の印面の復号情報」と処理識別情報「削除」というように、パターン識別情報と処理識別情報とが対応付けて記憶されている。ここで、各パターン識別情報として挙げた「承認スタンプＳ１の印面の復号情報」、「否決スタンプＳ２の印面の復号情報」、「削除スタンプＳ３の印面の復号情報」は、それぞれのスタンプの印面に描かれた２次元バーコードを復号して得られる文字列を表している。
【００２７】
図６は、座標記憶部１１５の記憶内容例を示す図である。座標記憶部１１５には、図６に例示する座標情報「２０、３０、１２０、１３０」と文書識別情報「０７０４２３ＲＲＥＱ」、座標情報「２０、１８０、１２０、２８０」と文書識別情報「０７０４２０ＳＲＥＱ」というように、座標情報と文書識別情報とが対応付けて記憶されている。ここで、座標情報は、対応付けられた文書識別情報のアイコンが表示されている矩形領域の左上の座標と右下の座標とを表した数字であり、座標情報「２０、３０、１２０、１３０」であれば、画面の左上を原点とするＸ座標「２０」、Ｙ座標「３０」の点と、Ｘ座標「１２０」、Ｙ座標「１３０」の点とを結ぶ線分を対角線とする矩形の領域を表している。この座標情報が表す領域は、アイコンが表示されている領域であるとともに、スタンプが押された位置が、該領域内であれば、該座標情報に対応付けられた文書識別情報の文書データが処理対象データとなる領域でもある。
【００２８】
図７は、文書記憶部１６０の記憶内容例を示す図である。文書記憶部１６０には、図７に例示する文書識別情報「０７０４２３ＲＲＥＱ」と承認状態「未承認」と文書データ「０７０４２３ＲＲＥＱ．ＴＸＴ」、文書識別情報「０７０４２０ＳＲＥＱ」と承認状態「承認済」と文書データ「０７０４２０ＳＲＥＱ．ＴＸＴ」というように、文書識別情報と承認状態と文書データとが対応付けて記憶されている。ここで、承認状態には、承認も否決も未だされていない「未承認」と承認された「承認済」と否決された「否決」の３種類がある。また、文書データ「０７０４２３ＲＲＥＱ．ＴＸＴ」などの文書データとして記憶している文字列は、文書データを格納したファイル名であり、実際の文書データを格納した該ファイル名のファイルも文書記憶部１６０は記憶している。
【００２９】
図８は、文書管理装置１００の動作を説明するフローチャートである。まず、文書管理装置１００の画像生成部１１４が、文書記憶部１６０から承認状態が「未承認」の文書データを選択し、選択した文書データ各々を表すアイコンを並べた文書リスト画面を生成して、液晶スキャナタッチパネル部１１１の液晶ディスプレイに表示する（Ｓａ１）。このとき画像生成部１１４は、各アイコンの左上および右下の座標と、該アイコンが表す文書データの文書識別情報とを対応付けて、座標記憶部１１５に記憶する。ここで、この文書リスト画面に表示されたアイコンのうちの１つに、ユーザが承認スタンプＳ１を押したとする。処理決定部１１３は、この承認スタンプＳ１が押された座標を表す位置情報（例えば、「８２、９３」のような画面上の座標）と、承認スタンプＳ１が押された際に読み取った印面のスキャン画像データとを液晶スキャナタッチパネル部１１１から読み取る（Ｓａ２）。処理決定部１１３は、ステップＳａ２にて読み取ったスキャン画像データに対して、２次元バーコード復号部１１２に出力し、２次元バーコード復号部１１２は、受けたスキャン画像データに２次元バーコードの復号処理を施し（Ｓａ３）、その復号処理結果の文字列を処理決定部１１３に出力する。次に、処理決定部１１３は、この文字列をキーにして、パターン記憶部１１６のパターン識別情報を検索する（Ｓａ４）。
【００３０】
次に、処理決定部１１３は、ステップＳａ４の検索の結果、一致するパターン識別情報が有る否かを判定する（Ｓａ５）。ステップＳａ５の判定で一致するパターン識別情報が無いと判定したときは、ステップＳａ６に遷移して、ステップＳａ２で読み取った位置情報が表す座標を含む領域を表す座標情報について、座標記憶部１１５を検索する。次に、文書表示処理部１２０は、ステップＳａ６にて検索した座標情報に対応付けて座標記憶部１１５が記憶している文書識別情報を読み出し、さらに該文書識別情報に対応付けて文書記憶部が記憶している文書データを読み出す。画像生成部１１４は、この読み出した文書データの内容を、表示する文書表示画面を生成して、液晶スキャナタッチパネル部１１１の液晶ディスプレイに表示し、処理を終了する。
【００３１】
ここでは、前述のように承認スタンプＳ１が押されているとすると、ステップＳａ５の判定で、一致するパターン識別情報が有ると判定するので、ステップＳａ８に遷移して、処理決定部１１３は、ステップＳａ２で読み取った位置情報が表す座標を含む領域を表す座標情報について、座標記憶部１１５を検索する。
ここで、座標情報が表す領域に、位置情報の座標が含まれているか否かは、次のように判定する。すなわち、座標情報が領域の左上のＸＹ座標値と右下のＸＹ座標値を並べた「Ｘ１、Ｙ１、Ｘ２、Ｙ２」であり、位置情報の座標が「ｘ、ｙ」であるときは、次の２つの不等式Ｘ１≦ｘ≦Ｘ２、Ｙ１≦ｙ≦Ｙ２を満たすときは、座標情報が表す領域に、位置情報の座標が含まれており、いずれか１つでも満たさないときは、座標情報が表す領域に、位置情報の座標が含まれていないと判定する。
【００３２】
次に、処理決定部１１３は、ステップＳａ４で検索したパターン識別情報と対応付けてパターン記憶部１１６が記憶している処理識別情報を読み出し、この読み出した処理識別情報が「承認」であるか否かを判定する（Ｓａ９）。このステップＳａ９の判定にて「承認」であると判定したときは、処理決定部１１３は、ステップＳａ８で検索した座標情報と対応付けて座標記憶部１１５が記憶している文書識別情報を読出し、該文書識別情報を「承認」が表す処理を行う承認処理部１３０に出力することで、この文書識別情報の文書データの処理を承認処理部１３０に指示する。承認処理部１３０は、受けた文書識別情報をキーにして、文書記憶部１６０を検索し、該当する文書データの承認状態に「承認」を登録する（Ｓａ１０）。画像生成部１１４が承認した旨をユーザに通知する承認画面を生成して、液晶スキャナタッチパネル部１１１の液晶ディスプレイに表示し（Ｓａ１１）、処理を終了する。
【００３３】
一方、ステップＳａ９の判定にて上述の処理識別情報は「承認」でないと判定したときは、ステップＳａ１２に遷移して、処理決定部１１３は、上述の処理識別情報が「否決」であるか否かを判定する（Ｓａ１２）。このステップＳａ１２の判定にて「否決」であると判定したときは、処理決定部１１３は、ステップＳａ８で検索した座標情報と対応付けて座標記憶部１１５が記憶している文書識別情報を読出し、該文書識別情報を「否決」が表す処理を行う否決処理部１４０に出力することで、この文書識別情報の文書データの処理を否決処理部１４０に指示する。否決処理部１４０は、受けた文書識別情報をキーにして、文書記憶部１６０を検索し、該当する文書データの承認状態に「否決」を登録する（Ｓａ１３）。画像生成部１１４が否決した旨をユーザに通知する否決画面を生成して、液晶スキャナタッチパネル部１１１の液晶ディスプレイに表示し（Ｓａ１４）、処理を終了する。
【００３４】
また、ステップＳａ１２の判定にて上述の処理識別情報は「否決」でないと判定したときは、ステップＳａ１５に遷移して、処理決定部１１３は、ステップＳａ８で検索した座標情報と対応付けて座標記憶部１１５が記憶している文書識別情報を読出し、該文書識別情報を「削除」が表す処理を行う削除処理部１５０に出力することで、この文書識別情報の文書データの処理を削除処理部１５０に指示する。削除処理部１５０は、受けた文書識別情報をキーにして、文書記憶部１６０を検索し、該当する文書データおよび該文書データに対応付けられた項目を文書記憶部１６０から削除する（Ｓａ１５）。画像生成部１１４が削除した旨をユーザに通知する削除画面を生成して、液晶スキャナタッチパネル部１１１の液晶ディスプレイに表示し（Ｓａ１６）、処理を終了する。
【００３５】
なお、ステップＳａ１５の前に、「削除」であるか否かを判定するステップを挿入し、「削除」であると判定したときは、ステップＳａ１５に遷移し、それ以外、すなわち「承認」でも「否決」でも「削除」でもないときはステップＳａ６に遷移するようにしてもよい。
また、本実施形態において、処理内容は承認、否決、削除、文書表示の４種類のみであるが、スタンプの種類を増やし、各スタンプの印面の復号情報をパターン識別情報として、その他の処理識別情報と対応付けてパターン記憶部１１６に記憶させておき、さらに多くの種類の処理内容を指示可能なようにしてもよい。
【００３６】
このように、液晶スキャナタッチパネル部１１１がスタンプを押された位置とスタンプの印面のスキャン画像データとを取得し、処理決定部１１３が印面のスキャン画像データに基づき実行する処理を、該処理の処理対象のデータを押された位置に基づき決定する。このため、ユーザインターフェース部１１０は、ユーザが液晶スキャナタッチパネル部１１１の液晶ディスプレイにスタンプで１回だけタッチするという簡便な操作で、様々な処理対象と処理内容とを決定する容易なユーザインターフェースを提供することができる。
【００３７】
［第２の実施形態］
図９は、この発明の第２の実施形態による文書管理装置２００の機能構成を示す概略ブロック図である。同図において図２の各部に対応する部分には同一の符号（１１１、１１４、１１５、１２０、１５０）を付け、その説明を省略する。本実施形態における文書管理装置２００は、記憶している文書のリストを表示し、リスト中の文書に対して、利用者が承認、否決、削除のいずれかを指定する指で触れることで、触れられた指の指紋を読み取って個人認証するととともに、指が触れた文書に、承認を登録、否決を登録、該文書を削除、あるいは文書を表示のいずれかの処理を行う装置であり、ユーザインターフェース部２１０、文書表示処理部１２０、承認処理部２３０、否決処理部２４０、削除処理部１５０、文書記憶部２６０を具備する。ユーザインターフェース部２１０は、後述するように、液晶スキャナタッチパネル部１１１と指紋特徴情報抽出部２１２と画像生成部１１４と処理決定部２１３と座標記憶部１１５とパターン記憶部２１６とを具備する。
【００３８】
ユーザインターフェース部（ユーザインターフェース装置）２１０は、液晶スキャナタッチパネル部１１１の液晶ディスプレイに文書リスト画面を表示し、この文書リスト画面を指で触れられたときに、指が触れた位置と触れた指の指紋を読み取ったスキャン画像データとに基づき、文書表示処理部１２０、承認処理部２３０、否決処理部２４０、削除処理部１５０の何れの処理部で、どの文書を処理するかを決定するとともに、スキャン画像データ、すなわち指紋に基づき個人認証を行なう。承認処理部２３０は、指定された文書データに対応付けて、文書記憶部２６０に「承認」と承認したユーザの個人識別情報とを登録する。否決処理部２４０は、指定された文書データに対応付けて、文書記憶部２６０に「否決」と否決したユーザの個人識別情報とを登録する。文書記憶部２６０は、文書データを識別する文書識別情報と文書データの承認状態と状態設定者の個人識別情報と文書データとを対応付けて記憶する。
【００３９】
ユーザインターフェース部（ユーザインターフェース装置）２１０は、前述のように、液晶スキャナタッチパネル部１１１と指紋特徴情報抽出部２１２と画像生成部１１４と処理決定部２１３と座標記憶部１１５とパターン記憶部２１６とを具備する。指紋特徴情報抽出部２１２は、指紋のスキャン画像データから指紋の特徴情報（例えば、指紋を構成する線（隆線）の分岐／接合点、開始／終止点の位置など）を抽出する。処理決定部２１３は、液晶スキャナタッチパネル部１１１が検出した位置の位置情報と、該位置の近傍のスキャン画像データとを液晶スキャナタッチパネル部１１１から読み取り、この読み取ったスキャン画像データから指紋特徴情報抽出部２１２が抽出した特徴情報に基づき、パターン記憶部２１６を参照して個人認証するとともに、承認処理、否決処理、削除処理および文書表示の中から実行する処理を決定し、液晶スキャナタッチパネル部１１１から読み取った位置情報に基づき、座標記憶部１１５を参照して決定した実行する処理の処理対象データとなる文書データを決定する。
パターン記憶部２１６は、スキャン画像データすなわち指紋を識別するための指紋の特徴情報からなるパターン識別情報と、その指紋を持つ人の個人識別情報と、そのスキャン画像データ（指紋が表す指）に対応する処理の処理識別情報とを対応付けて記憶している。
【００４０】
なお、文書管理装置２００は、図１に示した文書管理装置１００と同様のハード構成であり、図９に示した、指紋特徴情報抽出部２１２、処理決定部２１３、画像生成部１１４、文書表示処理部１２０、承認処理部２３０、否決処理部２４０、削除処理部１５０は、メモリ１０２に格納されているプログラムを、制御部１０１が読み取って実行することにより、各部の処理を行う。また、座標記憶部１１５、パターン記憶部２１６、文書記憶部２６０は、メモリ１０２が具備し、これら各部が記憶する情報は、メモリ１０２のＲＡＭまたは不揮発性なメモリに記憶される。
【００４１】
図１０は、文書管理装置２００が液晶スキャナタッチパネル部１１１の液晶ディスプレイに表示する文書リスト画面と文書表示画面の例を示す図である。図１０に示す文書リスト画面Ｇ２と文書表示画面Ｄ２のように、本実施形態における文書リスト画面には、各々が未承認の文書データを表すアイコンが、アイコンＩＣ３、ＩＣ４のように列挙されており、文書表示画面には、選択されたアイコンの文書データの内容が表示されている。ユーザが、承認する文書データのアイコンには予め登録した指、例えば右手の人差し指を押し、否決する文書データのアイコンには予め登録した指、例えば左手の人差し指を押し、削除する文書データのアイコンには予め登録した指、例えば左手の親指を押すと、文書管理装置２００は、指の指紋を読み取って、予め登録されている指紋の特徴情報に基づき個人認証するとともに、指を押された文書データに、押された指に応じた処理を施す。その他のもの、例えばペンなどでアイコンを押すと、文書管理装置２００は、該アイコンに対応した文書の内容を文書画面に表示する。ここで、パターン記憶部２１６には、承認、否決、削除の各処理を指示する権限を持つ人物の指の指紋の特徴情報をパターン情報にし、このパターン情報とこのパターン情報の人物の個人識別情報とこのパターン情報の指で指示する処理の処理識別情報とを対応付けて予め記憶する。
【００４２】
図１１は、パターン記憶部２１６の記憶内容例を示す図である。パターン記憶部２１６には、図１１に例示するようにパターン識別情報「指紋の特徴情報（Ａ．ＴＡＫＡＴＡの右手人差し指）」と個人識別情報「Ａ．ＴＡＫＡＴＡ」と処理識別情報「承認」、パターン識別情報「指紋の特徴情報（Ｋ．ＳＵＺＵＫＩの右手人差し指）」と個人識別情報「Ｋ．ＳＵＺＵＫＩ」と処理識別情報「承認」、パターン識別情報「指紋の特徴情報（Ａ．ＴＡＫＡＴＡの左手人差し指）」と個人識別情報「Ａ．ＴＡＫＡＴＡ」と処理識別情報「否決」というように、パターン識別情報と個人識別情報と処理識別情報とが対応付けて予め記憶されている。ここで、各パターン識別情報として挙げた「指紋の特徴情報（Ａ．ＴＡＫＡＴＡの右手人差し指）」、「指紋の特徴情報（Ｋ．ＳＵＺＵＫＩの右手人差し指）」、「指紋の特徴情報（Ａ．ＴＡＫＡＴＡの左手人差し指）」は、それぞれの指紋の特徴点を抽出して得られる情報を表している。
【００４３】
図１２は、文書記憶部２６０の記憶内容例を示す図である。文書記憶部２６０には、図１２に例示する文書識別情報「０７０４２３ＲＲＥＱ」と承認状態「未承認」と状態設定者「−」と文書データ「０７０４２３ＲＲＥＱ．ＴＸＴ」、文書識別情報「０７０４２０ＳＲＥＱ」と承認状態「承認済」と状態設定者「Ｋ．ＳＵＺＵＫＩ」と文書データ「０７０４２０ＳＲＥＱ．ＴＸＴ」というように、文書識別情報と承認状態と状態設定者と文書データとが対応付けて記憶されている。ここで、承認状態には、承認も否決も未だされていない「未承認」と承認された「承認済」と否決された「否決」の３種類がある。また、文書データとして記憶している文字列は、文書データを格納したファイル名であり、実際の文書データを格納した該ファイル名のファイルを文書記憶部２６０は記憶している。
【００４４】
図１３は、文書管理装置１００の動作を説明するフローチャートである。まず、文書管理装置１００の画像生成部１１４が、文書記憶部２６０から承認状態が「未承認」の文書データを選択し、選択した文書データ各々を表すアイコンを並べた文書リスト画面を生成して、液晶スキャナタッチパネル部１１１の液晶ディスプレイに表示する（Ｓｂ１）。このとき画像生成部１１４は、各アイコンの左上および右下の座標と、該アイコンが表す文書データの文書識別情報とを対応付けて、座標記憶部１１５に記憶する。ここで、この文書リスト画面に表示されたアイコンのうちの１つに、個人識別情報「Ａ．ＴＡＫＡＴＡ」のユーザが右手人差し指を押したとする。処理決定部２１３は、この右手人差し指が押された座標を表す位置情報（例えば、「８２、９３」のような画面上の座標）と、右手人差し指が押された際に読み取った指紋のスキャン画像データとを液晶スキャナタッチパネル部１１１から読み取る（Ｓｂ２）。指紋特徴情報抽出部２１２は、ステップＳｂ２にて処理決定部２１３が読み取った指紋のスキャン画像データに対して、特徴情報の抽出処理を行い、その抽出処理結果の特徴情報を得る（Ｓｂ３）。次に、処理決定部２１３は、パターン記憶部２１６を検索して、この特徴情報と一致するパターン識別情報を探し出す（Ｓｂ４）。
【００４５】
次に、処理決定部２１３は、ステップＳｂ４の検索の結果、一致するパターン識別情報が有る否かを判定する（Ｓｂ５）。ステップＳｂ５の判定で一致するパターン識別情報が無いと判定したときは、ステップＳｂ６に遷移して、ステップＳａ２で読み取った位置情報が表す座標を含む領域を表す座標情報について、座標記憶部１１５を検索する。次に、文書表示処理部１２０は、ステップＳｂ６にて検索した座標情報に対応付けて座標記憶部１１５が記憶している文書識別情報を読み出し、さらに該文書識別情報に対応付けて文書記憶部２６０が記憶している文書データを読み出す。画像生成部１１４は、この読み出した文書データの内容を、表示する文書表示画面を生成して、液晶スキャナタッチパネル部１１１の液晶ディスプレイに表示し、処理を終了する。
【００４６】
ここでは、前述のように個人識別情報「Ａ．ＴＡＫＡＴＡ」のユーザが右手人差し指を押しているので、ステップＳｂ５の判定で、一致するパターン識別情報が有ると判定し、ステップＳｂ８に遷移して、処理決定部２１３は、ステップＳｂ４の検索にて特徴情報と一致したパターン識別情報と対応付けてパターン記憶部２１６が記憶している個人識別情報「Ａ．ＴＡＫＡＴＡ」を読み出す。次に、処理決定部２１３は、ステップＳｂ２で読み取った位置情報が表す座標を含む領域を表す座標情報について、座標記憶部１１５を検索する。
【００４７】
次に、処理決定部２１３は、ステップＳｂ４で検索したパターン識別情報と対応付けてパターン記憶部２１６が記憶している処理識別情報を読み出し、この読み出した処理識別情報が「承認」であるか否かを判定する（Ｓｂ１０）。このステップＳａｂ８の判定にて「承認」であると判定したときは、処理決定部２１３は、ステップＳｂ９で検索した座標情報と対応付けて座標記憶部１１５が記憶している文書識別情報を読出し、該文書識別情報とステップＳｂ８にて読み出した個人識別情報「Ａ．ＴＡＫＡＴＡ」とを「承認」が表す処理を行う承認処理部２３０に出力することで、この文書識別情報の文書データの処理を承認処理部２３０に指示する。承認処理部２３０は、受けた文書識別情報をキーにして、文書記憶部２６０を検索し、該当する文書データの承認状態に「承認」を、状態設定者に処理決定部２１３からうけた個人識別情報「Ａ．ＴＡＫＡＴＡ」を登録する（Ｓｂ１１）。画像生成部１１４が承認した旨をユーザに通知する承認画面を生成して、液晶スキャナタッチパネル部１１１の液晶ディスプレイに表示し（Ｓｂ１２）、処理を終了する。
【００４８】
一方、ステップＳｂ１０の判定にて上述の処理識別情報は「承認」でないと判定したときは、ステップＳｂ１３に遷移して、処理決定部２１３は、上述の処理識別情報が「否決」であるか否かを判定する（Ｓｂ１３）。このステップＳｂ１３の判定にて「否決」であると判定したときは、処理決定部２１３は、ステップＳｂ９にて検索した結果の座標情報と対応付けて座標記憶部１１５が記憶している文書識別情報を読出し、該文書識別情報とステップＳｂ８にて読み出した個人識別情報「Ａ．ＴＡＫＡＴＡ」とを「否決」が表す処理を行う否決処理部２４０に出力することで、この文書識別情報の文書データの処理を否決処理部２４０に指示する。否決処理部２４０は、受けた文書識別情報をキーにして、文書記憶部２６０を検索し、該当する文書データの承認状態に「否決」を、状態設定者に処理決定部２１３からうけた個人識別情報を登録する（Ｓｂ１４）。画像生成部１１４が否決した旨をユーザに通知する否決画面を生成して、液晶スキャナタッチパネル部１１１の液晶ディスプレイに表示し（Ｓｂ１５）、処理を終了する。
【００４９】
また、ステップＳｂ１３の判定にて上述の処理識別情報は「否決」でないと判定したときは、ステップＳｂ１６に遷移して、処理決定部２１３は、ステップＳｂ９で検索した座標情報と対応付けて座標記憶部１１５が記憶している文書識別情報を読出し、該文書識別情報を「削除」が表す処理を行う削除処理部１５０に出力することで、この文書識別情報の文書データの処理を削除処理部１５０に指示する。削除処理部１５０は、受けた文書識別情報をキーにして、文書記憶部１６０を検索し、該当する文書データおよび該文書データに対応付けられた項目を文書記憶部１６０から削除する（Ｓｂ１６）。画像生成部１１４が削除した旨をユーザに通知する削除画面を生成して、液晶スキャナタッチパネル部１１１の液晶ディスプレイに表示し（Ｓｂ１７）、処理を終了する。
【００５０】
なお、ステップＳｂ１６の前に、「削除」であるか否かを判定するステップを挿入し、「削除」であると判定したときは、ステップＳｂ１６に遷移し、それ以外のときはステップＳｂ６に遷移するようにしてもよい。
また、ステップＳｂ５における処理決定部２１３による一致の判定において、パターン識別情報に含まれる全ての特徴情報が一致していなくても、例えば一定の割合以上の特徴情報が一致していれば、一致していると判定するようにしてもよい。
また、本実施形態において、処理内容は承認、否決、削除、文書表示の４種類のみであるが、その他の指の指紋の特徴情報をパターン識別情報として、その他の処理識別情報と対応付けてパターン記憶部２１６に記憶させておき、さらに多くの種類の処理内容を指示可能なようにしてもよい。
【００５１】
このように、液晶スキャナタッチパネル部１１１が指のタッチ位置を表す位置情報とタッチした指の指紋のスキャン画像データとを出力し、処理決定部２１３が指紋のスキャン画像データに基づき実行する処理を、該処理の処理対象のデータを押された位置に基づき決定する。このため、ユーザインターフェース部２１０は、ユーザが液晶スキャナタッチパネル部１１１の液晶ディスプレイに指で１回だけタッチするという簡便な操作で、様々な処理対象と処理内容とを決定し、さらには指紋のスキャン画像データに基づき個人を認証し、前述の処理内容を該認証結果に応じた内容することが可能な容易なユーザインターフェースを提供することができる。
【００５２】
［第３の実施形態］
図１４は、この発明の第３の実施形態によるインターネット販売システムの構成を示す概略システム構成図である。本実施形態におけるインターネット販売システムは、販売会社が設置するネット販売サーバ３００と店頭などに設置される複数のネット販売端末装置４００とこれらを接続するネットワーク５００を具備する。ユーザ操作を受け付けたネット販売端末装置４００が、ネット販売サーバ３００に商品の購入を申し込むと、ネット販売サーバ３００が商品の配送指示や決済処理などの販売処理を行う。
なお、このネット販売サーバ３００、には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
【００５３】
図１５は、本実施形態におけるネット販売サーバ３００とネット販売端末装置４００の構成を示す概略ブロック図である。ネット販売端末装置４００は、液晶スキャナタッチパネル部（ディスプレイスキャナタッチパネル）４１０と通信部４２０とを具備する。液晶スキャナタッチパネル部４１０は、図２に示した液晶スキャナタッチパネル部１１１と同様にその液晶ディスプレイに画像生成部３２０が生成した画像のデータを通信部３１０および通信部４２０を介して受けて表示するとともに、該液晶ディスプレイに外部から入射する光を検出することで液晶ディスプレイの画像表示する領域をスキャンしてスキャン画像データを生成する。さらに液晶スキャナタッチパネル部４１０は、その液晶ディスプレイで外部から指示された位置を検出する。通信部４２０はネットワーク５００を介してネット販売サーバ３００と通信する。
【００５４】
ネット販売サーバ３００は、通信部３１０と画像生成部３２０と処理決定部３３０と座標記憶部３４０とパターン記憶部３５０と販売処理部３６０と指紋特徴情報抽出部３７０とを具備する。通信部３１０はネットワーク５００を介してネット販売端末装置４００と通信する。画像生成部３２０は、各々が商品を表すアイコンもしくは写真を座標記憶部３４０から読み出して並べた商品リスト画面の画像のデータを生成し、通信部３１０を介してネット販売端末装置４００に送信し、液晶スキャナタッチパネル部１１１の液晶ディスプレイに表示させる。このとき画像生成部３２０は、画面の左上端を原点としたときの各アイコンもしくは写真の左上および右下の座標を、該アイコンもしくは写真が表す商品の商品識別情報に対応付けて、座標記憶部３４０に記憶する。また、画像生成部３２０は、販売処理を行った後、その処理結果をユーザに通知する画面の画像のデータを生成し、通信部３１０を介してネット販売端末装置４００に送信し、液晶スキャナタッチパネル部１１１の液晶ディスプレイに表示させる。
【００５５】
処理決定部３３０は、ネット販売端末装置４００の液晶スキャナタッチパネル部４１０が検出した位置の位置情報と、該位置の近傍のスキャン画像データ、例えば、該位置を中心とした縦横５０ピクセルの正方形の領域のスキャン画像データとを通信部４２０および通信部３１０を介して液晶スキャナタッチパネル部４１０から受け取り、この受け取ったスキャン画像データ中の指紋から指紋特徴情報抽出部３７０が抽出した特徴情報に基づき、パターン記憶部３５０を参照して販売処理もしくは処理不可の中から実行する処理を決定し、液晶スキャナタッチパネル部４１０から受け取った位置情報に基づき、座標記憶部３４０を参照して決定した実行する処理の処理対象データとなる商品識別情報を決定する。
座標記憶部３４０は、商品識別情報と、該商品を表すアイコンもしくは写真のデータと、商品リスト画面にて該商品のアイコンが表示されている領域を表す座標情報とを対応付けて記憶する。
パターン記憶部３５０は、スキャン画像データすなわち指紋を識別するための指紋の特徴情報からなるパターン識別情報と、その指紋を持つ人の個人識別情報とを対応付けて記憶している。
指紋特徴情報抽出部３７０は、指紋のスキャン画像データから指紋の特徴情報（例えば、指紋を構成する線（隆線）の分岐／接合点、開始／終止点の位置など）を抽出する。
また、本実施形態では、ネット販売サーバ３００の画像生成部３２０、処理決定部３３０、座標記憶部３４０、パターン記憶部３５０、指紋特徴情報抽出部３７０とで、ユーザインターフェース部（ユーザインターフェース装置）６００を構成する。
【００５６】
図１６は、ネット販売端末装置４００が液晶スキャナタッチパネル部４１０の液晶ディスプレイに表示する商品リスト画面の例を示す図である。図１６に示す商品リスト画面Ｇ３のように、本実施形態における商品リスト画面には、各々が商品を表すアイコンもしくは写真が、アイコンＩＣ５、ＩＣ６のように列挙されている。ユーザが、購入する商品のアイコンもしくは写真を予め登録した指、例えば左手の人差し指で押すと、液晶スキャナタッチパネル部４１０は、押された指の指紋を読み取ってスキャン画像データを生成し、通信部４２０を介してネット販売サーバ３００に送信する。ネット販売サーバ３００では、このスキャン画像データを通信部３１０を介して受けた処理決定部３３０が、予め登録されている指紋の特徴情報に基づき個人認証するとともに、指を押されたアイコンの商品の購入処理を、販売処理部３６０に指示する。ここで、パターン記憶部３５０には、このインターネット販売サービスに加入しているユーザの指の指紋の特徴情報をパターン情報にし、このパターン情報とこのパターン情報の人物の個人識別情報とを対応付けて予め記憶させておく。
【００５７】
図１７は、パターン記憶部３５０の記憶内容例を示す図である。パターン記憶部３５０には、図１７に例示するようにパターン情報「指紋の特徴情報（Ｋ．ＴＡＮＡＫＡの右手人差し指）」と、個人識別情報「Ｋ．ＴＡＮＡＫＡ］、パターン情報「指紋の特徴情報（Ｔ．ＨＯＮＤＡの右手人差し指）」と、個人識別情報「Ｔ．ＨＯＮＤＡ」というように、パターン情報と個人識別情報とが対応付けて記憶されている。ここで、パターン情報「指紋の特徴情報（Ｋ．ＴＡＮＡＫＡの右手人差し指）」は、ユーザ「Ｋ．ＴＡＮＡＫＡ」の右手人差し指の指紋の特徴情報である。また、個人識別情報「Ｋ．ＴＡＮＡＫＡ」は、ユーザ「Ｋ．ＴＡＮＡＫＡ」を識別する情報である。
【００５８】
図１８は、座標記憶部３４０の記憶内容例を示す図である。座標記憶部３４０には、図１８に例示するように画面上の矩形領域の左上と右下の座標を表す座標情報「２０、３０、１２０、１３０」と、画像データのファイル名である画像データ「Ａ１．ｊｐｇ」と、商品識別情報「Ａ１」、座標情報「１０、１８０、１２０、２８０」と、画像データ「Ａ２．ｊｐｇ」と、商品識別情報「Ａ２」というように、座標情報と画像データと商品識別情報とが対応付けて記憶されている。ここで、座標情報は、図６と同様に、対応付けられた画像データが表示されている矩形領域の左上の座標と右下の座標を表した数字である。また、画像データは、商品の画像データを格納したファイルのファイル名である。また、座標記憶部３４０は、この画像データに格納されたファイル名のファイルを記憶している。また、商品識別情報は、商品を識別する情報である。
【００５９】
図１９は、本実施形態におけるネット販売サーバ３００とネット販売端末装置４００の動作を説明するフローチャートである。まず、ネット販売サーバ３００の画像生成部３２０が、座標記憶部３４０から画像データのファイル名のファイルを読み出し、読み出したファイルの内容による画像を並べた商品リスト画面を生成して、通信部３１０、４２０を介してネット販売端末装置４００の液晶スキャナタッチパネル部４１０に表示させる（Ｓｃ１）。このとき、画像生成部３２０は、各画像を、座標記憶部３４０に対応付けて記憶している座標情報が表す矩形領域に表示させる。ここで、この商品リスト画面に表示された画像のうちの１つに、個人識別情報「Ｔ．ＨＯＮＤＡ」のユーザが右手人差し指を押したとする。液晶スキャナタッチパネル部４１０は、この指が押された座標を表す位置情報と、指が押された際に読み取った指紋のスキャン画像データとを通信部４２０を介して送信する。ネット販売サーバ３００の通信部３１０が、この送信された位置情報とスキャン画像データとを受信し、受信した位置情報とスキャン画像データとを処理決定部３３０が読み取る（Ｓｃ２）。指紋特徴情報抽出部３７０は、ステップＳｃ２にて読み取った指紋のスキャン画像データに対して、特徴情報の抽出処理を行い、その抽出処理結果の特徴情報を得る。次に、処理決定部３３０は、パターン記憶部３５０を検索して、この特徴情報と一致するパターン識別情報を探し出す（Ｓｃ４）。
【００６０】
次に、処理決定部３３０は、ステップＳｃ４の検索の結果、この特徴情報と一致するパターン識別情報が有る否かを判定する（Ｓｃ５）。ステップＳｃ５の判定で一致するパターン識別情報が無いと判定したときは、ステップＳｃ６に遷移して、画像生成部３２０が個人認証に失敗したことをユーザに通知する個人認証失敗画面を生成して、該画面の表示データを通信部３１０を介して送信する。ネット販売端末装置４００の液晶スキャナタッチパネル部４１０は、この送信された表示データを通信部４２０を介して受信し、受信した表示データを、その液晶ディスプレイに表示し（Ｓｃ６）、処理を終了する。
【００６１】
ここでは、前述のように個人識別情報「Ｔ．ＨＯＮＤＡ」のユーザが右手人差し指を押しているので、ステップＳｃ５の判定で、一致するパターン識別情報が有ると判定し、ステップＳｃ７に遷移して、処理決定部３３０は、そのパターン識別情報と対応付けてパターン記憶部３５０が記憶している個人識別情報「Ｔ．ＨＯＮＤＡ」を読み出す。次に、処理決定部３３０は、ステップＳｃ２で読み取った位置情報が表す座標を含む領域を表す座標情報について、座標記憶部３４０を検索する（Ｓｃ８）。処理決定部３３０は、ステップＳｃ８にて検索した結果の座標情報と対応付けて座標記憶部３４０が記憶している商品識別情報を読み出し、ステップＳｃ８にて読み出した個人識別情報「Ｔ．ＨＯＮＤＡ」とともに、この商品識別情報が表す商品を個人識別情報「Ｔ．ＨＯＮＤＡ」が表すユーザへ販売する指示として販売処理部３６０に出力する。
【００６２】
販売処理部３６０は、この商品識別情報と個人識別情報とを受けると、これらの情報に基づき、該商品識別情報の商品を該個人識別情報のユーザへ販売するための決済処理や配送指示処理などを行う（Ｓｃ９）。販売処理部３６０が、ステップＳｃ９の販売処理を終了すると、画像生成部３２０は、販売処理が終了したことをユーザに通知する販売済画面の表示データを生成し、生成した表示データを通信部３１０を介して送信する。ネット販売端末装置４００の液晶スキャナタッチパネル部４１０は、この送信された表示データを通信部４２０を介して受信し、受信した表示データを、その液晶ディスプレイに表示し（Ｓｃ１０）、処理を終了する。
【００６３】
なお、ステップＳｃ５における処理決定部３３０による一致の判定において、パターン識別情報に含まれる全ての特徴情報が一致していなくても、例えば一定の割合以上の特徴情報が一致していれば、一致していると判定するようにしてもよい。
また、本実施形態において、処理内容は個人認証したユーザへの販売処理のみであるが、その他の指も含めた指紋の特徴情報をパターン識別情報として、処理識別情報と対応付けてパターン記憶部２１６に記憶させておき、処理決定部３３０が処理識別情報に応じて処理内容を指示可能なようにしてもよい。
【００６４】
このように、液晶スキャナタッチパネル部４１０が指のタッチ位置を表す位置情報とタッチした指の指紋のスキャン画像データとを出力し、処理決定部３３０がこの出力された位置情報に応じて商品を決定し、該指紋のスキャン画像データに応じて販売処理先のユーザを決定する。このため、ユーザインターフェース部６００は、ユーザが液晶スキャナタッチパネル部４１０の液晶ディスプレイに指で１回だけタッチするという簡便な操作で、様々な処理対象と処理内容とを決定し、さらには指紋のスキャン画像データに基づき個人を認証し、前述の処理内容を該認証結果に応じた内容することが可能な容易なユーザインターフェースを提供することができる。
【００６５】
なお、上記第１から第３の実施形態において、処理対象データを表すアイコンまたは画像を表示させ、処理決定部１１３、２１３、３３０は、液晶スキャナタッチパネル部１１１、４１０が検出した位置に基づき処理対象データを決定し、液晶スキャナタッチパネル部１１１、４１０が生成したスキャン画像データに基づき処理を決定するとして説明したが、処理を表すアイコンを表示させ、液晶スキャナタッチパネル部１１１、４１０が検出した位置に基づき処理を決定し、液晶スキャナタッチパネル部１１１、４１０が生成したスキャン画像データに基づき処理対象データを決定するようにしてもよい。
【００６６】
また、液晶スキャナタッチパネル部１１１、４１０は、同一のガラス基板上に画像表示用の液晶素子とスキャン用の光センサ素子とを配置し、該液晶素子にて画像を表示し、該光センサ素子にて画像表示領域に入射する光を検出してスキャン画像データを生成するとして説明したが、液晶以外の有機ＥＬ（ElectroLuminescence）素子などにて画像を表示してもよいし、光センサ素子をガラス基板以外の場所に配置して、入射する光を該配置場所に導く光路を設定するようにしてもよい。
【００６７】
また、図２における２次元バーコード復号部１１２、画像生成部１１４、処理決定部１１３、文書表示処理部１２０、承認処理部１３０、否決処理部１４０、削除処理部１５０、もしくは図９に置ける指紋特徴情報抽出部２１２、画像生成部１１４、処理決定部２１３、文書表示処理部１２０、承認処理部２３０、否決処理部２４０、削除処理部１５０、もしくは図１５における通信部４２０、通信部３１０、画像生成部３２０、処理決定部３３０、販売処理部３６０、指紋特徴情報抽出部３７０の機能を実現するためのプログラムをコンピュータ読み取り可能な記録媒体に記録して、この記録媒体に記録されたプログラムをコンピュータシステムに読み込ませ、実行することによりこれらの処理を行ってもよい。なお、ここでいう「コンピュータシステム」とは、ＯＳや周辺機器等のハードウェアを含むものとする。
【００６８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７０】
本発明は、第１から第３の実施形態に示すような文書管理装置、インターネット販売システムに用いて最適であるが、これに限定されない。
【図面の簡単な説明】
【００７１】
【図１】この発明の第１の実施形態による文書管理装置１００のハード構成を示す概略ブロック図である。
【図２】同実施形態による文書管理装置１００の機能構成を示す概略ブロック図である。
【図３】同実施形態による液晶スキャナタッチパネル部１１１が有する液晶ディスプレイの構造例を模式的に示す図である。
【図４】同実施形態における文書管理装置１００が液晶スキャナタッチパネル部１１１に表示する文書リスト画面および文書表示画面の例を示す図である。
【図５】同実施形態におけるパターン記憶部１１６の記憶内容例を示す図である。
【図６】同実施形態における座標記憶部１１５の記憶内容例を示す図である。
【図７】同実施形態における文書記憶部１６０の記憶内容例を示す図である。
【図８】同実施形態における文書管理装置１００の動作を説明するフローチャートである。
【図９】この発明の第２の実施形態による文書管理装置２００の機能構成を示す概略ブロック図である。
【図１０】同実施形態における文書管理装置２００が液晶スキャナタッチパネル部１１１に表示する文書リスト画面および文書表示画面の例を示す図である。
【図１１】同実施形態におけるパターン記憶部２１６の記憶内容例を示す図である。
【図１２】同実施形態における文書記憶部２６０の記憶内容例を示す図である。
【図１３】同実施形態における文書管理装置１００の動作を説明するフローチャートである。
【図１４】この発明の第３の実施形態によるインターネット販売システムの構成を示す概略システム構成図である。
【図１５】同実施形態におけるネット販売サーバ３００とネット販売端末装置４００の構成を示す概略ブロック図である。
【図１６】同実施形態におけるネット販売端末装置４００が液晶スキャナタッチパネル部４１０に表示する商品リスト画面の例を示す図である。
【図１７】同実施形態におけるパターン記憶部３５０の記憶内容例を示す図である。
【図１８】同実施形態における座標記憶部３４０の記憶内容例を示す図である。
【図１９】同実施形態におけるネット販売サーバ３００とネット販売端末装置４００の動作を説明するフローチャートである。
【符号の説明】
【００７２】
１００、２００…文書管理装置
１０１…制御部
１０２…メモリ
１０３…入出力部
１１０、２１０、６００…ユーザインターフェース部
１１１、４１０…液晶スキャナタッチパネル部
１１２…２次元バーコード復号部
１１３、２１３、３３０…処理決定部
１１４、３２０…画像生成部
１１５、３４０…座標記憶部
１１６、２１６、３５０…パターン記憶部
１２０…文書表示処理部
１３０、２３０…承認処理部
１４０、２４０…否決処理部
１５０…削除処理部
１６０、２６０…文書記憶部
２１２…指紋特徴情報抽出部
３００…ネット販売サーバ
３１０…通信部
３６０…販売処理部
３７０…指紋特徴情報抽出部
４００…ネット販売端末装置
４２０…通信部
５００…ネットワーク
【図１】
2009054118.tif 000003
【図２】
2009054118.tif 000004
【図３】
2009054118.tif 000005
【図４】
2009054118.tif 000006
【図５】
2009054118.tif 000007
【図６】
2009054118.tif 000008
【図７】
2009054118.tif 000009
【図８】
2009054118.tif 000010
【図９】
2009054118.tif 000011
【図１０】
2009054118.tif 000012
【図１１】
2009054118.tif 000013
【図１２】
2009054118.tif 000014
【図１３】
2009054118.tif 000015
【図１４】
2009054118.tif 000016
【図１５】
2009054118.tif 000017
【図１６】
2009054118.tif 000018
【図１７】
2009054118.tif 000019
【図１８】
2009054118.tif 000020
【図１９】
2009054118.tif 000021